(57)【要約】【課題】  駐輪場ユーザの実際の利用ニーズに対して最適化させた駐輪場提供を可能にすると同時に駐輪場で販売可能な駐輪容量を拡大できる一時利用と定期利用の併用システムを提供することと、発券機及び現金精算機を不要とし、コストとスペースを節約できるシステムとすることである。【解決手段】  一定期間における駐輪の利用パターンを登録し、該利用パターン単位で精算をする固定利用ユーザと、駐輪の度に精算をする一時利用ユーザとの併用利用による駐輪場の管理システムであって、事前登録に係るユーザ以外のユーザと一時利用ユーザの入場制限である場合の一時利用ユーザとを認証において入場許可ユーザではないと認証するシステムを提供する。【選択図】図１
2018005863.tif 000002
【特許請求の範囲】
【請求項１】
一定期間における駐輪の利用パターンを登録し、該利用パターン単位で精算をする固定利用ユーザと、前記利用パターンの登録をせず、駐輪の度に精算をする一時利用ユーザとの併用利用による駐輪場の管理システムであって、
（ａ）前記駐輪場の利用に先立って、精算方法を含むユーザ情報の事前登録をし、認証キーを発行する事前登録手段と、
（ｂ）前記固定利用ユーザによる前記利用パターンの入力を受けて、該利用パターンを前記認証キーと関連付けて記憶する固定利用情報記憶手段と、
（ｃ）前記認証キーの入力を受けて、該入力に係るユーザが入場許可ユーザか否かの認証をする認証手段を有し、前記認証に係る認証キー及び入場時刻を含む入場記録をする認証入場記録手段と、
（ｄ）前記認証の結果を受信して、前記入場許可ユーザによる前記駐輪場への入場が制限されないように動作し、該入場許可ユーザ以外の者による前記駐輪場への入場が制限されるように動作するゲート装置と、
（ｅ）前記入場許可ユーザの退場において前記認証キーを受信して、退場時刻及び前記認証キーを含む退場記録をする退場記録手段と、
（ｆ）前記固定利用ユーザ毎の利用パターンと現時刻との比較によって現時刻において確保すべき固定利用必要台数を検出する固定利用必要台数検出手段と、
（ｇ）前記利用パターンとの関連付けのない認証キーに係る前記入場記録及び退場記録から一時利用在車台数を検出する一時利用在車台数検出手段と、
（ｈ）現時刻における一時利用可能台数を、前記駐輪場の駐輪容量から前記固定利用必要台数と前記一時利用在車台数とを減算することによって、計算をする一時利用可能台数計算手段と、
（ｉ）前記一時利用可能台数と所定の入場制限基準とを比較して前記一時利用ユーザの入場制限か否かの判断をする一時利用制限判断手段と、
を備え、
前記認証入場記録手段は、前記事前登録に係るユーザ以外のユーザと、前記判断が一時利用ユーザの入場制限である場合の一時利用ユーザと、を前記認証において入場許可ユーザではないと認証することを特徴とするシステム。
【請求項２】
（ｊ）前記固定利用ユーザの前記利用パターンから外れた時間における利用を、前記入場記録及び退場記録から時間外利用として検出し、一時利用に振替をする時間外利用振替手段をさらに備え、
前記一時利用在車台数は、前記利用パターンとの関連付けのない認証キーに係る前記入場記録及び退場記録から検出される一時利用在車台数に、前記振替に係る一時利用の台数を加算して求められた台数であることを特徴とする請求項１に記載のシステム。
【請求項３】
前記判断が一時利用ユーザの入場制限である場合に、前記一時利用の制限を通知する通知手段をさらに含むことを特徴とする請求項１又は２のいずれかに記載のシステム。
【請求項４】
前記時間外利用を一時利用として課金金額を計算し、前記固定利用に係る課金金額に加算して、前記固定利用ユーザに係る課金情報を生成する課金情報生成手段をさらに含むことを特徴とする請求項２に記載のシステム。
【請求項５】
前記判断が一時利用ユーザの入場制限である場合に、前記認証手段は、前記固定利用ユーザの認証キーの入力を受けたとき、該認証キーと関連付けられた利用パターンと現時刻とを比較して、該利用パターンから外れた利用と判別された固定利用ユーザを入場許可ユーザではないと認証することを特徴とする請求項１乃至４のいずれかに記載のシステム。
【請求項６】
前記認証キーの発行は、該認証キーを記憶したＩＣカードを前記事前登録に係るユーザに提供すること、前記事前登録に係るユーザが所有するＩＣカードに格納された固有ＩＤを読み取り、該固有ＩＤを認証キーとして前記登録情報記憶手段に記憶することから選ばれる少なくとも一つであることを特徴とする請求項１乃至５のいずれかに記載のシステム。
【請求項７】
前記利用パターンは、曜日の選択、祝日の選択、曜日と時間帯との組合せ選択、祝日と時間帯との組合せ選択、曜日及び祝日と時間帯との組合せ選択から選ばれる少なくとも１つを含むことを特徴とする請求項1乃至６のいずれかに記載のシステム。
【発明の詳細な説明】
【技術分野】
【０００１】
本発明は、一つの駐輪場において一時利用と定期利用とを併用して利用することが可能な駐輪場管理システムに関するものである。
【背景技術】
【０００２】
従来技術による一時利用では、入場に際して入場時刻等を印刷した利用券を発行し、退場に際して利用券の読取を行い、料金を計算し、現金を受け取るという利用態様が通常であり、発券機、精算機等のコストとスペースを要する機器が必要であった。
最近は決済の形態が多様化してきており、キャッシュレスとすることで発券機、現金を扱う精算機のようなコストとスペースが不要となるシステムが求められていた。
【０００３】
発券機、精算機のないキャッシュレスのシステムとしては、定期利用によるシステムにおいて実現されていた。従来技術による定期利用では、定期利用のユーザは、施設の管理機関に対して、一定期間について全時間帯の利用を契約するシステムが採用されているのが通常である。必要な時間だけの利用を求める定期利用ユーザの要望を満たすことができなかった。
【０００４】
定期利用のシステムについて、駐輪場の提供者の観点から言えば、ある期間について駐輪区画数と同数の定期利用数の販売を実現しても、実際の利用においては駐輪在車数が駐輪区画数に達することは事実上なく、運営によって販売可能な実質の駐輪容量を拡大する余地が存在していた。
【０００５】
ここで駐輪区画数とは、駐輪場において一台の二輪車（ここで二輪車とは、自転車又はオートバイ等の車両を指す用語である。）のために施設運営者が確保したスペースの数を言い、実際に区画を設定している場合だけでなく、駐輪場の面積から割り出された最大収容台数も指す概念である。
また、駐輪容量とは、一定期間もしくは時間帯において収容可能台数の延べ数量であり、単位時間毎に供給できる駐輪区画数を期間または時間帯で積算した駐輪場のキャパシティを指す用語である。
【０００６】
実質の駐輪容量の拡大は、従来から駐輪場管理者の課題とされていたテーマであり、前述の一定期間の時間帯すべてを契約する定期利用と利用の度に精算する一時利用とを併用し、今まで定期利用のために固定的に確保していた駐輪区画数の一部を一時利用するユーザに開放することで、上記テーマを実現するシステムが提案されてきた。
【０００７】
特許文献１には、一定の期間を単位に契約をして駐車場を利用する定期利用と駐車場を利用する度に駐車料金を精算する一時利用とを併用する駐車場で、定期利用車用の駐車スペースを予め確保し、残りの駐車スペースを一時利用車用に開放して車両の入出場を管理する駐車管理システムが提案されている。
しかしながら、定期利用契約は一日単位でみれば全時間帯をすべて購入する方式のものであり、定期利用ユーザの一時利用的利用ニーズを満足させる効果はなく、駐車場の提供者の観点からの最適化を図るシステムでしかなかったというのが問題であった。
また、一時利用ユーザのための発券機、現金の精算機は従来と同様に必要なシステムであった。
【先行技術文献】
【特許文献】
【０００８】
【特許文献１】特開平１１−２５３９３号公報
【発明の概要】
【発明が解決しようとする課題】
【０００９】
本願発明が解決しようとする課題は、駐輪場ユーザの実際の利用ニーズに対して最適化させた駐輪場提供を可能にすると同時に駐輪場で販売可能な駐輪容量を拡大できる一時利用と定期利用の併用システムを提供することである。
さらには、従来の一時利用システムに必要とされていた発券機及び現金精算機を不要とし、コストとスペースを節約できるシステムとすることも課題となる。
【課題を解決するための手段】
【００１０】
本発明の第１の観点によれば、一定期間における駐輪の利用パターンを登録し、該利用パターン単位で精算をする固定利用ユーザと、前記利用パターンの登録をせず、駐輪の度に精算をする一時利用ユーザとの併用利用による駐輪場の管理システムであって、
（ａ）前記駐輪場の利用に先立って、精算方法を含むユーザ情報の事前登録をし、認証キーを発行する事前登録手段と、
（ｂ）前記固定利用ユーザによる前記利用パターンの入力を受けて、該利用パターンを前記認証キーと関連付けて記憶する固定利用情報記憶手段と、
（ｃ）前記認証キーの入力を受けて、該入力に係るユーザが入場許可ユーザか否かの認証をする認証手段を有し、前記認証に係る認証キー及び入場時刻を含む入場記録をする認証入場記録手段と、
（ｄ）前記認証の結果を受信して、前記入場許可ユーザによる前記駐輪場への入場が制限されないように動作し、該入場許可ユーザ以外の者による前記駐輪場への入場が制限されるように動作するゲート装置と、
（ｅ）前記入場許可ユーザの退場において前記認証キーを受信して、退場時刻及び前記認証キーを含む退場記録をする退場記録手段と、
（ｆ）前記固定利用ユーザ毎の利用パターンと現時刻との比較によって現時刻において確保すべき固定利用必要台数を検出する固定利用必要台数検出手段と、
（ｇ）前記利用パターンとの関連付けのない認証キーに係る前記入場記録及び退場記録から一時利用在車台数を検出する一時利用在車台数検出手段と、
（ｈ）現時刻における一時利用可能台数を、前記駐輪場の駐輪容量から前記固定利用必要台数と前記一時利用在車台数とを減算することによって、計算をする一時利用可能台数計算手段と、
（ｉ）前記一時利用可能台数と所定の入場制限基準とを比較して前記一時利用ユーザの入場制限か否かの判断をする一時利用制限判断手段と、
を備え、
前記認証入場記録手段は、前記事前登録に係るユーザ以外のユーザと、前記判断が一時利用ユーザの入場制限である場合の一時利用ユーザと、を前記認証において入場許可ユーザではないと認証するシステムが、提供される。
【００１１】
ここで固定利用という用語は、従来の定期利用の概念を拡張し、一定期間のすべての時間帯だけはなく、一定期間において指定した固定の時間帯についての利用という概念を指す用語として用いる。
【００１２】
ここで、（ｊ）前記固定利用ユーザの前記利用パターンから外れた時間における利用を、前記入場記録及び退場記録から時間外利用として検出し、一時利用に振替をする時間外利用振替手段をさらに備え、
前記一時利用在車台数は、前記利用パターンとの関連付けのない認証キーに係る前記入場記録及び退場記録から検出される一時利用在車台数に、前記振替に係る一時利用の台数を加算して求められた台数であるとしてもよい。
【００１３】
前記判断が一時利用ユーザの入場制限である場合に、前記一時利用の制限を通知する通知手段をさらに含むとしてもよい。
【００１４】
前記時間外利用を一時利用として課金金額を計算し、前記固定利用に係る課金金額に加算して、前記固定利用ユーザに係る課金情報を生成する課金情報生成手段をさらに含むとしてもよい。
【００１５】
課金金額を精算する上記精算方法としては、クレジットカード番号を登録して、クレジット会社と通信して決済を行う機器から構成されるもの、オンライン収納としてコンビニエンスストア決済するもの、インターネットバンキングのサイトに接続して引き落とすもの、ＡＴＭ支払番号を通知して、ユーザに入金処理をさせるものなどが採用可能である。
【００１６】
前記判断が一時利用ユーザの入場制限である場合に、前記認証手段は、前記固定利用ユーザの認証キーの入力を受けたとき、該認証キーと関連付けられた利用パターンと現時刻とを比較して、該利用パターンから外れた利用と判別された固定利用ユーザを入場許可ユーザではないと認証するとしてもよい。
【００１７】
前記認証キーの発行は、該認証キーを記憶したＩＣカードを前記事前登録に係るユーザに提供すること、前記事前登録に係るユーザが所有するＩＣカードに格納された固有ＩＤを読み取り、該固有ＩＤを認証キーとして前記登録情報記憶手段に記憶することから選ばれる少なくとも一つであるとしてもよい。
【００１８】
前記利用パターンは、曜日の選択、祝日の選択、曜日と時間帯との組合せ選択、祝日と時間帯との組合せ選択、曜日及び祝日と時間帯との組合せ選択から選ばれる少なくとも１つを含むとしてもよい。
【図面の簡単な説明】
【００１９】
【図１】図１は、実施例１の駐輪システムの模式図である。
【図２】図２は、事前登録機１００５の外観２０００と機能構成２０１０を示した図である。
【図３】図３は、認証入場記録機１００６の外観３０００と機能構成３０１０を示した図である。
【図４】図４は、入場ゲート装置１００７の外観４０００と機能構成４０１０を示した図である。
【図５】図５は、退場記録機１００８の外観５０００と機能構成５０１０を示した図である。
【図６】図６は、退場ゲート装置１００９の外観６０００と機能構成６０１０を示した図である。
【図７】図７は、管理装置１０１３の機能構成を示したブロック図である。
【図８】図８は、事前登録に係る事前登録情報のデータ構造を示したブロック図である。
【図９】図９は、利用パターンを含む固定利用情報のデータ構造を示したブロック図である。
【図１０】図１０は、入場記録データのデータ構造を示したブロック図である。
【図１１】図１１は、退場記録データのデータ構造を示したブロック図である。
【図１２】図１２は、本実施例のシステムの動作による事前登録の動作を示したフローチャートである。
【図１３】図１３は、ユーザがアクションを加えるスタート画面の一例である。
【図１４】図１４は、ユーザ情報入力画面の一例である。
【図１５】図１５は、車両情報入力画面の一例である。
【図１６】図１６は、精算方法入力画面の一例である。
【図１７】図１７は、利用パターン入力画面の一例である。
【図１８】図１８は、選択の入力画面の一例である。
【図１９】図１９は、本実施例のシステムの動作による一時利用による入場の制限判断を示したフローチャートである。
【図２０】図２０は、本実施例の認証及び入場記録に係る動作を示したフローチャートである。
【図２１】図２１は、本実施例のシステムによる退場記録の動作を示したフローチャートである。
【発明を実施するための形態】
【００２０】
本発明を実現するための態様を実施例において説明する。
以下の説明における機能構成部で示される機器の動作は、予め組み込まれたファームウエア等の制御プログラムが各機器の回路等のプロセッサーで実行され、当該機器や通信相手の機器の各種デバイスと協働することによって実現される。
また、これらのプログラムは、コンピュータで読み取り可能な記録媒体に記録され、当該プロセッサーによって記録媒体から読み出され、コントローラのユーザが操作すること又はコントローラを構成するデバイスからの信号を受信することをトリガに実行される。
【実施例１】
【００２１】
図１は、実施例１の駐輪システムの模式図である。
駐輪場１０００と管理装置１０１３とが通信回線１０１２を介して接続されている。
駐輪場は、６区画の駐輪区画１００３ａ〜１００３ｆから構成される駐輪ブロック１００２を含む駐輪エリア１００１、認証入場記録機１００６、入場ゲート装置１００７、退場記録装置１００８、退場ゲート装置１００９そして満空表示装置１０１０を備える入退通路１００４、事前登録機１００５そして駐輪場を構成する上記機器とローカルに通信接続すると同時に通信回線１０１２との通信接続を行うベース通信部１０１１から構成されている。
ここでは、満車を通知する手段として満空表示装置が採用されているが、本発明に係る通知手段はこれに限定されるものではない。音声により満車を知らせる装置、満空表示装置と音声により満車を知らせる装置との併用などが適宜採用されうる。
【００２２】
駐輪区画とは、一台の二輪車に割り当てられた駐輪スペースである。明示的に駐輪位置を指定する表示を駐輪エリアの地面に設けること、駐輪ラックを設置することだけでなく、一台毎の配置を明示せず、駐輪場運営者が観念的に駐輪区画を把握するものであってもよい。
ここでは６区画の駐輪区画１００３ａ〜１００３ｆから構成される駐輪ブロック１００２を備えた駐輪エリア１００１が示されているが、区画数及びブロック数は駐輪場を設ける用地や駐輪利用の態様に応じて適宜変更されうるものである。
【００２３】
図２は、事前登録機１００５の外観２０００と機能構成２０１０を示した図である。
まず、外観図２０００から説明する。タッチパネル２００１は、ユーザによる入力操作を受けるインターフェースである。ＩＣカード読取口２００２は、ユーザの所有する交通系のＩＣカード読取のために備えられている。
次に、機能構成図２０１０を説明する。入力部２０１１は、ユーザから事前登録依頼や固定利用情報の入力を受け入れる。ここで事前登録依頼は、ユーザによるタッチパネル２００１の操作により入力されたユーザ名、使用車両、クレジットカード番号等の精算方法を構成要素に含むデータであり、固定利用情報は、固定利用を望むユーザによる利用パターンを含む情報である。
ここで精算方法は、クレジット決済を採用したが、オンライン収納としてコンビニエンスストア決済するもの、インターネットバンキングのサイトに接続して引き落とすもの、ＡＴＭ支払番号を通知して、ユーザに入金処理をさせるものなどが採用可能である。
【００２４】
ＩＣカード読取部２０１２は、ＩＣカードの固有ＩＤを読み取って、認証キーとして登録するためにユーザがＩＣカード読取口にタッチ（近接）したＩＣカードの固有ＩＤを読取る。
【００２５】
第１通信部２０１３は、通信部１０１１を介し、所定の通信プロトコルを用いて、管理装置１０１３との通信を行う。この通信によって、以下のような情報のやり取りが実現される。すなわち、上記事前登録依頼の送信、ＩＣカードの読取情報の送信、固定利用ユーザの利用パターンの送信そして管理装置から事前登録完了通知の受信などである。
【００２６】
ここでの事前登録は、事前登録機を設置する方式を採用しているが、本発明に採用可能な事前登録はこれに限定されるものではない。事前登録サイトを設け、パソコンによるウェブアクセスからの登録、スマートフォンによる登録などに変更されうる。さらには、ここに挙げた方式を組合せるなどの方式も適宜採用されうる。
【００２７】
図３は、認証入場記録機１００６の外観３０００と機能構成３０１０を示した図である。
まず、外観図３０００から説明する。ＩＣカード読取のための読取装置３００１が、一般的なユーザが使いやすい１ｍ〜１ｍ２０ｃｍ程度の高さに設けられている。
次に、機能構成図３０１０を説明する。上記読取装置を動作させてユーザが提示したICカードに格納された認証キーを読取るＩＣカード読取部３０１１、読み取った認証キーを認証し、制限又は許可の信号を送信する認証部３０１２そして認証キーをタイマー３０１４から取得した現時刻と関連付けて入場記録データを生成して送信する入場記録部３０１３という構成要素から構成されている。
【００２８】
図４は、入場ゲート装置１００７の外観４０００と機能構成４０１０を示した図である。
まず、外観図４０００から説明する。ユーザの通行を制限するためのフラッパー４００１が、筐体４００２に開閉自在に取り付けられている。
次に、機能構成図４０１０を説明する。上記フラッパーを動作させて開放状態と閉鎖状態との間の制御を行う開閉制御部４０１１、通行の制限又は許可の信号を受信して開閉制御部に送信する第２通信部４０１２という構成要素から構成されている。
【００２９】
入場ゲート装置は、初期状態において、フラッパー４００１は開放されており、制限の信号を上記開閉制御部４０１１が受信すると、フラッパーを動作させて閉鎖状態とするように制御される。このような制御により、入場許可ユーザが通過する場合はそのまま開放され、それ以外の通過に対してはフラッパーが閉鎖状態になるように動作する。
本発明で採用可能な入場ゲートの動作はこれに限定されるものではなく、初期状態においてフラッパーが閉鎖されており、入場許可ユーザが通過する場合は開放状態になるように動作し、それ以外の通過に対してフラッパーはそのまま閉鎖されるというような動作などが適宜採用されうる。
【００３０】
図５は、退場記録機１００８の外観５０００と機能構成５０１０を示した図である。
まず、外観図５０００から説明する。ＩＣカード読取のための読取装置５００１が、一般的なユーザが使いやすい１ｍ〜１ｍ２０ｃｍ程度の高さに設けられている。
次に、機能構成図５０１０を説明する。上記読取装置を動作させてユーザが提示したICカードに格納された認証キーを読取る読取部５０１１、読み取った認証キーをタイマー５０１４から取得した現時刻と関連付けて退場記録データを生成して送信する退場記録部５０１２、事前登録に係る認証キーを読取った場合に通行の許可の信号を送信し、それ以外の場合に異常通知の信号を送信する退場判断部５０１３という構成要素から構成されている。
【００３１】
図６は、退場ゲート装置１００９の外観６０００と機能構成６０１０を示した図である。
まず、外観図６０００から説明する。ユーザの通行を制限するためのフラッパー６００１が、筐体６００２に開閉自在に取り付けられている。
次に、機能構成図６０１０を説明する。上記フラッパーを動作させて開放状態と閉鎖状態との間の制御を行う開閉制御部６０１１、退場するユーザ通行の制限又は許可の信号を受信して開閉制御部に送信する第３通信部６０１２という構成要素から構成されている。
【００３２】
退場ゲート装置は、初期状態において、フラッパー６００１は閉鎖されており、許可の信号を開閉制御部６０１１が受信すると、フラッパーを動作させて開放状態とするように制御される。このような制御により、事前登録したユーザが通過する場合はそのまま開放され、それ以外の通過に対してはフラッパーが閉鎖状態になるように動作する。
本発明で採用可能な退場ゲートの動作はこれに限定されるものではなく、初期状態においてフラッパーが開放されており、異常通知がされた場合は閉鎖状態になるように動作し、事前登録に係るユーザの通過に対してフラッパーはそのまま開放されるというような動作などが適宜採用されうる。
【００３３】
図７は、管理装置１０１３の機能構成を示したブロック図である。
管理装置は、記憶装置７００１、事前登録部７００２、認証部７００３、入場記録部７００４、退場記録部７００５、固定利用必要台数検出部７００６、時間外利用振替部７００７、一時利用在車台数検出部７００８、一時利用可能台数計算部７００９、一時利用制限判断部７０１０、課金情報生成部７０１１、現時刻を生成するタイマー７０１２そして通知部７０１３という機能構成部からなる。
【００３４】
記憶装置７００１には、予め設定した駐輪場で収容可能な二輪車の最大数である駐輪容量、一時利用を制限する入場制限基準、一時利用課金の単価、固定利用課金の単価、ユーザによって入力された登録情報、固定利用を希望するユーザによって入力された固定利用情報、入場記録、退場記録等が格納されている。
【００３５】
登録部７００２は、利用を希望するユーザによって事前登録機１００５に入力された情報を受信して記憶装置７００１に登録する。
本実施例に係る駐輪場は、利用のために事前登録が必須とし、固定利用を希望するユーザは利用パターンを含む固定利用情報の登録をさらに行い、一時利用のみを希望するユーザは事前登録のみを行うという運営方式を採用する。
図８は、事前登録に係る事前登録情報のデータ構造を示したブロック図である。事前登録情報を識別するユーザＩＤ８００１、駐輪場への入退場等で用いる認証キー８００２、氏名、住所、連絡先等のユーザ個人情報８００３、駐輪場を利用する車両を識別するための車両情報８００４、クレジットカード番号等の精算方法８００５、固定利用のための利用パターンの有無８００６というデータ構造である。
ここで利用パターンの有無８００６は、後で説明する固定利用ユーザのための利用パターンを登録しているかどうかを示すフラグ情報であり、デフォルト状態では無を示す「０」等が格納されている。
【００３６】
図９は、利用パターンを含む固定利用情報のデータ構造を示したブロック図である。認証キー９００１と利用パターン情報９００２とから構成されている。
９００３は、利用パターン情報９００２の構造を視覚化したイメージ図である。利用時間帯９００４と曜日９００５ａ〜９００５ｇの組合せで利用パターンを指定する形式である。ここに示す一例では、平日に当たる月曜日から金曜日までは枠内の両端矢線で示す8時〜20時まで、土曜日と日曜日は同様な両端矢線で示す8時から14時まで利用するパターンが示されている。
このような形式で固定利用ユーザ毎に利用パターンの登録がなされている。
【００３７】
認証部７００３は、認証入場記録装置１００６が読み取った認証キーを受信して、入場許可ユーザか否かの認証を行う。
入場許可ユーザか否かの判別は、下記場合に応じて基準を変更して動作する。後で説明する一時利用制限判断部７０１１において入場制限と判断されていない場合は、事前登録に係る認証キーを提示したユーザすべてとなる。入場制限と判断されている場合は、時間外利用の固定利用ユーザと一時利用ユーザを除く登録ユーザが、入場許可ユーザとなる。
【００３８】
入場記録部７００４は、認証入場記録機１００６が送信した入場記録データを受信して、入場時刻を認証キーと関連付けて記憶装置７００１に記録する。
図１０は、入場記録データのデータ構造を示したブロック図である。入場時刻１０００１と認証キー１０００２とから構成されている。
【００３９】
退場記録部７００５は、退場記録装置１００８が送信する退場記録を受信して、認証キーを退場時刻と関連付けて記憶装置７００１に記録する。
図１１は、退場記録データのデータ構造を示したブロック図である。退場時刻１１００１と認証キー１１００２とから構成されている。
【００４０】
固定利用必要台数検出部７００６は、記憶装置７００１に記憶された固定利用ユーザそれぞれの利用パターンとタイマー７０１２から取得した現時刻とを比較して、現時刻を利用パターンの曜日・利用時間帯に含んでいる固定利用ユーザを抽出し、抽出数をカウントすることにより固定利用必要台数を検出する。
【００４１】
時間外利用振替部７００７は、記憶装置７００１に記憶された固定利用ユーザの認証キーを有する入場記録データと退場記録データとを呼び出して、入場した固定利用ユーザの入場記録に対応する退場記録の消込を行う。次に、消込後に残った入場記録に係る固定利用ユーザについてデータ数を現時刻における在車に係る在車固定利用ユーザを検出する。さらに、在車固定利用ユーザそれぞれの利用パターンとタイマー７０１２から取得した現時刻とを比較して、現時刻を利用パターンの曜日・利用時間帯に含んでいない時間外利用を一時利用に振替をして、一時利用として振替が始まる時刻を入場時刻として、この振替入場時刻と認証キーとからなる時間外利用入場記録を記憶装置７００７に記録する。
時間外利用の退場時刻は、振替入場時刻後の退場が時間外利用の時間帯であれば退場時刻がそのまま振替退場時刻となり、振替入場時刻後の退場が利用パターンの時間帯であれば固定利用が始まる時刻をもって振替退場時刻となるように、振替退場記録が記憶装置７００１にされる。
【００４２】
一時利用在車台数検出部７００８は、記憶装置７００１に記憶された一時利用ユーザの認証キーを有する入場記録データと退場記録データとを呼び出して、入場した一時利用ユーザの入場記録に対応する退場記録の消込を行い、残った入場記録に係る一時利用データ数を現時刻における一時利用ユーザによる在車台数を検出する。
次に、上記振替に係る時間外利用の在車台数を振替入場記録と振替退場記録とを呼び出して、時間外利用の固定利用ユーザの入場記録に対応する退場記録の消込を行い、残った振替入場記録に係る時間外利用データ数を現時刻における振替一時利用による在車台数として検出する。
一時利用ユーザによる在車台数と振替一時利用による在車台数との合計が、一時利用在車台数検出部７００８によって、一時利用在車台数として検出される。
【００４３】
一時利用可能台数計算部７００９は、記憶装置７００１に記憶された駐輪容量を呼び出して、上記検出された固定利用必要台数と一時利用在車台数を合計して、駐輪容量から減算し、一時利用可能台数を計算する。
【００４４】
一時利用制限判断部７０１０は、記憶装置７００１に記憶された一時利用制限基準を呼び出して、上記一時利用可能台数と比較して、一時利用ユーザの入場を制限するか、否かの判断を実行する。
ここでは、一時利用制限基準を台数で設定し、この台数を一時利用可能台数が下回った場合に一時利用ユーザの入場を制限すると判断することとするが、本発明に係る比較はこれに限定されるものではなく、例えば、一時利用制限基準を固定利用ユーザの登録数に対する比率として設定し、この比率と固定利用ユーザの登録数との積と一時利用可能台数とを比較する方式であってもよい。
【００４５】
課金情報生成部７０１１は、上記退場記録を受信して、認証キーに係るユーザが一時利用ユーザであれば、同一の認証キーに係る入場記録を呼び出して、退場時刻と入場時刻との差を一時利用時間として抽出する。次に、記憶装置７００１から一時利用単価を呼び出して、上記一時利用時間との積を一時利用ユーザの課金情報として生成する。
また、認証キーに係るユーザが固定利用ユーザであれば、同一の認証キーに係る入場記録を呼び出して、上記時間外利用に係る振替退場時刻と振替入場時刻との差を一時利用時間として抽出する。次に、記憶装置７００１から一時利用単価を呼び出して、上記一時利用時間との積を固定利用に係る料金に追加して固定利用ユーザの課金情報を生成する。
ここで、固定利用に係る料金は、固定利用精算に係る契約期間において、登録された利用パターンに係る利用時間の合計と記憶装置７００１に格納された固定利用単価との積によって生成される。
【００４６】
通知部７０１３は、上記一時利用制限判断部の判断が入場を制限するの場合は、満空表示装置１０１０を制御して、「満車」の表示をさせる。上記判断が「否」、すなわち入場を制限しない、の場合は、表示がされていないときはそのままに、表示がされているときは「満車」の表示を停止するように制御する。
【００４７】
（事前登録）
図１２は、本実施例のシステムの動作による事前登録の動作を示したフローチャートである。
アクセスステップ１２００１において、駐輪場の利用を希望するユーザが事前登録機のタッチパネル２００１に表示された登録開始アイコンにアクションを加える。図１３は、ユーザがアクションを加えるスタート画面の一例である。登録開始アイコン１３００１が表示され、これに対してユーザがタッチすることにより、登録動作が開始される。
ここでは、事前登録機のタッチパネルにおける動作を説明するが、事前登録サイトにアクセスしたパソコンやスマートフォンの画面から登録動作をする場合も同様である。以下のステップにおける入力或は選択動作についても以下で示すタッチパネルの画面と同様の画面から行われる。
【００４８】
ユーザ情報入力ステップ１２００２において、ユーザの情報の入力がタッチパネルの操作によって行われる。図１４は、ユーザ情報入力画面の一例である。ユーザによって、ユーザ情報入力欄１４００１へ氏名、性別、生年月日、住所、連絡方法、電話番号、メールアドレスそして固定利用の有無が入力される。
ユーザが、ユーザ情報を入力し、決定ボタン１４００２に対してアクションが加えられると、入力されたユーザ情報が記憶部７００１に記憶される。
【００４９】
車両情報入力ステップ１２００３において、車両の情報の入力がタッチパネルの操作によって行われる。図１５は、車両情報入力画面の一例である。ユーザによって、車両情報入力欄１５００１へ車種、車体色、ハンドルタイプ、後ろ荷台の有無、電動自転車か否か、電話番号、車体番号、防犯登録番号そして車両の画像が入力される。
ここで車両の画像の入力は、必須とせずユーザがスマートフォンやPCによって事前登録サイトにアクセスして画像ファイルをアップロードすることにより行われる。
ユーザが、ユーザ情報を入力し、決定ボタン１５００２に対してアクションが加えられると、入力された車両情報が記憶部７００１に記憶される。
【００５０】
精算方法入力ステップ１２００４において、精算方法の入力がタッチパネルの操作によって行われる。図１６は、精算方法入力画面の一例である。ユーザによって、ユーザ情報入力欄１６００１へカード名義者名、クレジット会社、有効期限そしてセキュリティコードが入力される。
ユーザが、精算方法を入力し、決定ボタン１６００２に対してアクションが加えられると、入力された精算方法が記憶部７００１に記憶される。
【００５１】
固定利用選択ステップ１２００５において、上記ユーザ情報入力ステップ１２００２において、固定利用の有無に係る入力欄に「無」と入力したユーザのシステム動作は、認証キー選択ステップ１２００７に移行する。
ユーザ情報入力ステップ１２００２において、固定利用の有無に係る入力欄に「有」と入力したユーザのシステム動作は、利用パターン入力ステップ１２００６に移行する。
【００５２】
利用パターン入力ステップ１２００６において、固定利用を希望するユーザによって、利用パターンの入力が行われる。図１７は、利用パターン入力画面の一例である。まず、ユーザによって、利用パターン入力欄１７００１へ、利用期間と月曜日から日曜日までの利用時間帯が入力される。そして、固定利用の契約期間入力欄１７００２へ、開始年月日と終了年月日からなる契約期間の入力がされる。
ここでは、一週間のスケジュール帖形式の一覧画面から、曜日毎に２つまでの利用時間帯について、開始時刻と終了時刻とを入力することによって利用パターンを入力することができる。
ユーザが、利用パターンと契約期間を入力し、決定ボタン１７００３に対してアクションが加えられると、入力された利用パターンと契約期間が固定利用情報として記憶部７００１に記憶される。
【００５３】
認証キー選択ステップ１２００７において、ユーザによって、新たに認証キーを格納したＩＣカードである入場カードを発行するか、ユーザが所有するＩＣカードに格納された固有ＩＤを認証キーとして登録するかの選択が行われる。図１８は、選択の入力画面の一例である。ユーザによって、入場カード発行ボタン１８００１か、ＩＣカード読取ボタン１８００２かのいずれかにアクションが加えられることにより、ユーザによる上記選択の入力がされる。
【００５４】
入場カード発行が選択されると、入場カード発行ステップ１２００９において、駐輪場システムから駐輪場運営者に対して入場カード発行の依頼が通知される。駐輪場管理者は、発行する入場カードに格納された認証キーを当該ユーザのユーザ情報の認証キーと登録し、書留郵便等の方法で届けることにより、事前登録は完了する。
【００５５】
ユーザによって所有するＩＣカードに格納された固有ＩＤを認証キーとして登録することが選択されると、ＩＣカード読取ステップ１２０１０において、事前登録機のＩＣカード読取部２０１２の機能がアクティブとなる。駐輪場システムは、ユーザによって自身が所有するＩＣカードがＩＣカード読取口２００２にタッチされると、このＩＣカードの固有ＩＤを読取り、当該ユーザのユーザ情報の認証キーとしてユーザ情報に登録する。
【００５６】
（一時利用入場の制限判断）
図１９は、本実施例のシステムの動作による一時利用による入場の制限判断を示したフローチャートである。
駐輪場システムの動作がスタートすると、時刻取得ステップ１９００１において、タイマー７０１２から現時刻を取得する。
設定周期経過判断ステップ１９００２において、スタート直後の取得もしくは直前の一時利用制限判断のシークエンスに係る取得による時刻取得から予め設定した周期を経過したか、否かの判断を行う。判断が「ｙｅｓ」すなわち設定周期経過であれば、システムの動作は一時利用在車台数検出ステップ１９００３に進む。
【００５７】
判断が、「no」、すなわち設定周期経過していない、であれば、システムの動作は時刻取得ステップ１９００１に戻る。
【００５８】
固定利用必要台数検出ステップ１９００３において、固定利用必要台数検出部７００６は、記憶装置７００１に記憶された固定利用ユーザそれぞれの利用パターンと上記取得した現時刻とを比較して、現時刻を利用パターンに含んでいる固定利用ユーザを抽出し、抽出数をカウントすることにより固定利用必要台数を検出する。
【００５９】
一時利用在車台数検出ステップ１９００４において、一時利用台数検出部７００８は、記憶装置７００１に記憶された一時利用ユーザの認証キーを有する入場記録データと退場記録データとから、上記取得に係る現時刻における一時利用ユーザによる在車台数を検出する。
次に、一時利用台数検出部７００８は、時間外利用振替部７００７によって記憶装置７００１に記録された振替に係る時間外利用の在車台数を振替入場記録と振替退場記録とから、振替一時利用による在車台数として検出する。
さらに、一時利用台数検出部７００８は、一時利用ユーザによる在車台数と振替一時利用による在車台数との合計を一時利用在車台数として検出する。
【００６０】
一時利用可能台数計算ステップ１９００５において、一時利用可能台数計算部７００９は、記憶装置７００１に記憶された駐輪容量を呼び出して、先のステップで検出された固定利用必要台数と一時利用在車台数を合計して、駐輪容量から減算し、一時利用可能台数を計算する。
【００６１】
一時利用制限判断ステップ１９００６において、一時利用制限判断部７０１０は、記憶装置７００１に記憶された一時利用制限基準を呼び出して、上記一時利用可能台数と比較して、一時利用ユーザの入場を制限するか、否かの判断を実行する。
【００６２】
通知ステップ１９００７において、通知部７０１３が、上記判断が入場を制限するの場合は、満空表示装置１０１０を制御して、「満車」の表示をさせる。上記判断が「否」の場合は、表示がされていないときはそのままに、表示がされているときは「満車」の表示を停止するように制御する。
【００６３】
（認証入場記録の動作）
図２０は、本実施例の認証及び入場記録に係る動作を示したフローチャートである。
入場検知ステップ２０００１において、駐輪場の利用と考えられるユーザが入退通路１００４に入ると、特に図示しない駐輪場システムに設けた人感センサ等によって、ユーザ候補として入場が検知される。
【００６４】
入場カード提示ステップ２０００２において、ユーザ候補による認証入場記録装置１００６の読取装置３００１へのＩＣカードの提示がなされる。
認証キー読取ステップ２０００３において、ＩＣカード読取部３０１１によって、提示されたＩＣカードに格納された認証キーの読取が行われる。
判断ステップ２０００４において、制御装置２０１３の認証部７００３によって、読取に係る認証キーと記憶部７００１に記憶された事前登録に係る認証キーと比較して事前登録に係るユーザか否かの判断が行われる。
【００６５】
事前登録に係る認証キーでないと判断されると、システムの動作は閉鎖ステップ２０００５に移行して、入場ゲート装置１００７に通行の制限の信号を送信し、フラッパー４００１が閉鎖状態になるように制御する。
事前登録に係る認証キーと判断されると、システムの動作は判断ステップ２０００６に移行して、認証部７００３によって、一時利用制限判断部７０１０が一時利用ユーザの入場を制限しているか否かの判断が行われる。
【００６６】
一時利用ユーザの入場を制限していないと判断されると、システムの動作は開放入場記録ステップ２０００７に移行して、認証部７００３によって、入場ゲート装置１００７に通行の許可の信号を送信し、フラッパー４００１が開放状態になるように制御して、入場記録データを記憶部７００１に記録する。
一時利用ユーザの入場を制限していると判断されると、システムの動作は判断ステップ２０００８に移行して、認証部７００３によって、読取に係る認証キーと記憶部７００１に記憶された固定利用ユーザに係る認証キーと比較して、固定利用ユーザか否かの判断が行われる。
【００６７】
固定利用ユーザに係る認証キーでないと判断されると、システムの動作は閉鎖ステップ２０００９に移行して、入場ゲート装置１００７に通行の制限の信号を送信し、フラッパー４００１が閉鎖状態になるように制御する。
固定利用ユーザに係る認証キーと判断されると、システムの動作は判断ステップ２００１０に移行して、認証部７００３によって、時間外利用か否かの判断が行われる。
【００６８】
時間外利用でないと判断されると、システムの動作は開放入場記録ステップ２００１１に移行して、認証部７００３によって、入場ゲート装置１００７に通行の許可の信号を送信し、フラッパー４００１が開放状態になるように制御して、入場記録データを記憶部７００１に記録する。。
時間外利用と判断されると、システムの動作は閉鎖ステップ２００１２に移行して、認証部７００３によって、入場ゲート装置１００７に通行の制限の信号を送信し、フラッパー４００１が閉鎖状態になるように制御する。
【００６９】
（退場記録）
図２１は、本実施例のシステムによる退場記録の動作を示したフローチャートである。
退場検知ステップ２１００１において、退場と考えられるユーザが退場記録機１００８に近づくと、特に図示しない駐輪場システムに設けた人感センサ等によって、退場ユーザ候補として退場が検知される。
【００７０】
入場カード提示ステップ２１００２において、退場ユーザ候補による退場記録装置１００８の読取装置５００１へのＩＣカードの提示がなされる。
認証キー読取ステップ２１００３において、ＩＣカード読取部５０１１によって、提示されたＩＣカードに格納された認証キーの読取が行われる。
判断ステップ２１００４において、退場判断部５０１３によって、記憶部７００１に記憶された入場記録に係る認証キーと比較して入場記録の有るユーザか否かの判断が行われる。
【００７１】
入場記録の有るユーザに係る認証キーでないと判断されると、システムの動作は閉鎖ステップ２１００５に移行して、退場判断部５０１３によって、退場ゲート装置１００９に通行の制限の信号を送信し、フラッパー６００１が閉鎖状態になるように制御する。
そして、異常通知ステップ２１００６において、退場判断部５０１３は、予め設定した駐輪場運営者の連絡先に異常発生の通知を行う。
入場記録の有るユーザに係る認証キーと判断されると、システムの動作は退場記録ステップ２０００７に移行して、退場記録部５０１２によって、記憶部部７００１に退場記録データが記録される。
【産業上の利用可能性】
【００７２】
駐輪場や駐輪施設を併用する駐車場の運営に適用できる。
【符号の説明】
【００７３】
１０００                  駐輪場
１００１                  駐輪エリア
１００２                  駐輪ブロック
１００３a〜１００３ｆ    駐輪区画
１００４                  入退通路
１００５                  事前登録機
１００６                  認証入場記録機
１００７                  入場ゲート装置
１００８                  退場記録機
１００９                  退場ゲート装置
【図１】
2018005863.tif 000003
【図２】
2018005863.tif 000004
【図３】
2018005863.tif 000005
【図４】
2018005863.tif 000006
【図５】
2018005863.tif 000007
【図６】
2018005863.tif 000008
【図７】
2018005863.tif 000009
【図８】
2018005863.tif 000010
【図９】
2018005863.tif 000011
【図１０】
2018005863.tif 000012
【図１１】
2018005863.tif 000013
【図１２】
2018005863.tif 000014
【図１３】
2018005863.tif 000015
【図１４】
2018005863.tif 000016
【図１５】
2018005863.tif 000017
【図１６】
2018005863.tif 000018
【図１７】
2018005863.tif 000019
【図１８】
2018005863.tif 000020
【図１９】
2018005863.tif 000021
【図２０】
2018005863.tif 000022
【図２１】
2018005863.tif 000023
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
一定期間における駐輪の利用パターンを登録し、該利用パターン単位で精算をする固定利用ユーザと、前記利用パターンの登録をせず、駐輪の度に精算をする一時利用ユーザとの併用利用による駐輪場の管理システムであって、
（ａ）前記駐輪場の利用に先立って、精算方法を含むユーザ情報の事前登録をし、認証キーを発行する事前登録手段と、
（ｂ）前記固定利用ユーザによる前記利用パターンの入力を受けて、該利用パターンを前記認証キーと関連付けて記憶する固定利用情報記憶手段と、
（ｃ）前記認証キーの入力を受けて、該入力に係るユーザが入場許可ユーザか否かの認証をする認証手段を有し、前記認証に係る認証キー及び入場時刻を含む入場記録をする認証入場記録手段と、
（ｄ）前記認証の結果を受信して、前記入場許可ユーザによる前記駐輪場への入場が制限されないように動作し、該入場許可ユーザ以外の者による前記駐輪場への入場が制限されるように動作するゲート装置と、
（ｅ）前記入場許可ユーザの退場において前記認証キーを受信して、退場時刻及び前記認証キーを含む退場記録をする退場記録手段と、
（ｆ）前記固定利用ユーザ毎の利用パターンと現時刻との比較によって現時刻において確保すべき固定利用必要台数を検出する固定利用必要台数検出手段と、
（ｇ）前記利用パターンとの関連付けのない認証キーに係る前記入場記録及び退場記録から一時利用在車台数を検出する一時利用在車台数検出手段と、
（ｈ）現時刻における一時利用可能台数を、前記駐輪場の駐輪容量から前記固定利用必要台数と前記一時利用在車台数とを減算することによって、計算をする一時利用可能台数計算手段と、
（ｉ）前記一時利用可能台数と所定の入場制限基準とを比較して前記一時利用ユーザの入場制限か否かの判断をする一時利用制限判断手段と、
を備え、
前記認証入場記録手段は、前記事前登録に係るユーザ以外のユーザと、前記判断が一時利用ユーザの入場制限である場合の一時利用ユーザと、を前記認証において入場許可ユーザではないと認証することを特徴とするシステム。
【請求項２】
（ｊ）前記固定利用ユーザの前記利用パターンから外れた時間における利用を、前記入場記録及び退場記録から時間外利用として検出し、一時利用に振替をする時間外利用振替手段をさらに備え、
前記一時利用在車台数は、前記利用パターンとの関連付けのない認証キーに係る前記入場記録及び退場記録から検出される一時利用在車台数に、前記振替に係る一時利用の台数を加算して求められた台数であることを特徴とする請求項１に記載のシステム。
【請求項３】
前記判断が一時利用ユーザの入場制限である場合に、前記一時利用の制限を通知する通知手段をさらに含むことを特徴とする請求項１又は２のいずれかに記載のシステム。
【請求項４】
前記時間外利用を一時利用として課金金額を計算し、前記固定利用に係る課金金額に加算して、前記固定利用ユーザに係る課金情報を生成する課金情報生成手段をさらに含むことを特徴とする請求項２に記載のシステム。
【請求項５】
前記判断が一時利用ユーザの入場制限である場合に、前記認証手段は、前記固定利用ユーザの認証キーの入力を受けたとき、該認証キーと関連付けられた利用パターンと現時刻とを比較して、該利用パターンから外れた利用と判別された固定利用ユーザを入場許可ユーザではないと認証することを特徴とする請求項１乃至４のいずれかに記載のシステム。
【請求項６】
前記認証キーの発行は、該認証キーを記憶したＩＣカードを前記事前登録に係るユーザに提供すること、前記事前登録に係るユーザが所有するＩＣカードに格納された固有ＩＤを読み取り、該固有ＩＤを認証キーとして前記固定利用情報記憶手段に記憶することから選ばれる少なくとも一つであることを特徴とする請求項１乃至５のいずれかに記載のシステム。
【請求項７】
前記利用パターンは、曜日の選択、祝日の選択、曜日と時間帯との組合せ選択、祝日と時間帯との組合せ選択、曜日及び祝日と時間帯との組合せ選択から選ばれる少なくとも１つを含むことを特徴とする請求項1乃至６のいずれかに記載のシステム。
【手続補正２】
【補正対象書類名】明細書
【補正対象項目名】００１７
【補正方法】変更
【補正の内容】
【００１７】
前記認証キーの発行は、該認証キーを記憶したＩＣカードを前記事前登録に係るユーザに提供すること、前記事前登録に係るユーザが所有するＩＣカードに格納された固有ＩＤを読み取り、該固有ＩＤを認証キーとして前記固定利用情報記憶手段に記憶することから選ばれる少なくとも一つであるとしてもよい。